(57)【要約】【課題】薄型で有りながら異なる形状を有する板状記憶媒体を共通の媒体挿入口から挿脱することができ、かつ寸法の異なる記憶媒体の誤挿入を防止して確実な挿脱が可能な板状記憶媒体用ホルダを提供する。【解決手段】板状記憶媒体用ホルダの媒体挿入口１１から形状の異なる板状記憶媒体を挿入して収納できるようにし、板状記憶媒体収納部の媒体挿脱方向側部に進退自在にストッパーブロック１５を設け、このストッパーブロック１５が、進出位置にて前記板状記憶媒体収納部内へ突出する制止部材１５ａと、該制止部材１５ａと一体的に設けられて板状記憶媒体収納部内へ斜面部１５ｃを突出する斜面部材１５ｂとを備えた構成とする。斜面部材１５ｂは、板状記憶媒体の挿入時に、その斜面部１５ｃにて板状記憶媒体から押圧されて前記制止部材１５ａとともに前記板状記憶媒体収納部の外側へ退避される。【選択図】        図４
2004335938.tif 000002
【特許請求の範囲】
【請求項１】
外形がそれぞれ異なる複数種類の板状記憶媒体を挿脱可能に収納する板状記憶媒体用ホルダであって、
媒体挿脱方向からみて相対的に大きな厚さを有する第１の板状記憶媒体と、相対的に小さな厚さを有する第２の板状記憶媒体を、共通の媒体挿入口から挿入して収納可能なケーシングを備え、
前記ケーシングに、前記第１の板状記憶媒体を収納する第１収納領域と、前記第２の板状記憶媒体を収納する第２収納領域とが、それらの厚さ方向で一部重なるように形成された板状記憶媒体収納部が設けられ、該板状記憶媒体収納部の媒体挿脱方向側部に、前記板状記憶媒体収納部内へ進退可能であり、前記板状記憶媒体の未挿入時に進出位置に付勢される誤挿入防止部材が設けられており、
前記誤挿入防止部材が、進出位置にて、前記第１収納領域内へ突出する制止部材と、該制止部材と一体的に設けられて前記第１収納領域と第２収納領域とが重なった領域を含む第２収納領域内へ突出する斜面部材とを備えてなり、
前記斜面部材が、進出位置にて前記第２収納領域内へ前記板状記憶媒体収納部の側部から媒体挿入方向奥側へ延びる斜面部を突出させており、前記板状記憶媒体の挿入時に、前記斜面部にて該板状記憶媒体から押圧されて前記制止部材とともに前記板状記憶媒体収納部の外側へ退避されることを特徴とする板状記憶媒体用ホルダ。
【請求項２】
請求項１に記載の板状記憶媒体用ホルダにおいて、
前記誤挿入防止部材と反対側の前記板状記憶媒体収納部の側部に、前記板状記憶媒体収納部内に進退可能に設けられた位置規制部材と、該位置規制部材を前記ケーシングとの間に挟持するカバー部材とを備え、
前記位置規制部材が、進出時に前記第１収納領域内へ突出されるアーム部と、該アーム部の基端部に一体的に設けられた軸受部とを有しており、
前記軸受部が前記ケーシングに立設された回転軸に回転支持され、回転方向に弾性力を付勢する第１の弾性部材により回転方向に弾性支持されるとともに、前記位置規制面側へ弾性力を付勢する第２の弾性部材により厚さ方向に弾性支持され、
前記アーム部が、その前記第２収納領域側の面に、前記第２の板状記憶媒体を位置規制する位置規制面を有するとともに、その前記媒体挿入口側の面に、前記第２収納領域における媒体挿入方向奥側へ向かって傾斜した傾斜面を有しており、前記第１の板状記憶媒体の未挿入時は、前記弾性力により前記第１収納領域内へ突出して支持されるとともに、挿入時には、その挿入方向奥側に向けて回転して前記第１の収納領域から退避可能とされており、
前記カバー部材のケーシング側面における前記位置規制部材の媒体挿入方向奥側に前記位置規制部材の回動を中途にて制止可能な回動制止部が形成され、該回動制止部が平面視において前記位置規制部材の回動領域内に配置されるとともに、前記厚さ方向において、前記第２の弾性部材による付勢位置における前記位置規制部材の回動領域の外側に配置されていることを特徴とする板状記憶媒体用ホルダ。
【請求項３】
請求項１又は２に記載の板状記憶媒体用ホルダにおいて、
前記板状記憶媒体収納部の側部に、前記第１収納領域内へ進退可能な１又は複数の可動位置規制部材がさらに設けられており、
前記可動位置規制部材が、進出時に前記第１収納領域内へ突出されるアーム部と、該アーム部の基端部に一体的に設けられた軸受部とを有しており、
前記軸受部が前記ケーシングに立設された回転軸に回転支持され、回転方向に弾性力を付勢する第１の弾性部材により回転方向に弾性支持され、
前記アーム部が、その前記第２収納領域側の面に、前記第２の板状記憶媒体を位置規制する位置規制面を有するとともに、その前記媒体挿入口側の面に、前記第２収納領域における媒体挿入方向奥側へ向かって傾斜した傾斜面を有しており、前記第１の板状記憶媒体の未挿入時は、前記弾性力により前記第１収納領域内へ突出して支持されるとともに、挿入時には、その挿入方向奥側に向けて回転して前記第１の収納領域から退避可能とされたことを特徴とする板状記憶媒体用ホルダ。
【請求項４】
請求項１ないし３のいずれか１項に記載の板状記憶媒体用ホルダにおいて、
前記板状媒体収納部が、挿脱方向に対する側部に挿脱方向の位置を所定範囲に保持するための保持溝を有し、外形がそれぞれ異なる複数種類の板状記憶媒体を収納可能とされ、
前記板状記憶媒体収納部の側方から、前記第１収納領域、及び第２収納領域内に進退可能に設けられ、進出時にはそれぞれの前記板状記憶媒体を引抜き困難な状態で前記板状記憶媒体収納部に保持し、退避時には前記保持面に前記板状記憶媒体を抜脱する押圧力を付勢しつつ、前記保持溝外部に退避することが可能な可動係合部と、
該可動係合部に押圧力を伝達して前記板状記憶媒体を抜脱する抜脱操作部とを備え、
前記可動係合部が、その端部に側面視かぎ状の保持爪を有しており、該保持爪のかぎ状基端側が、前記第１収納領域内に配置されて前記第１の板状記憶媒体の挿入時に該板状記憶媒体の保持溝に係合される第１の保持爪とされ、かぎ状先端側が、前記第２収納領域内に配置されて前記第２の板状記憶媒体の挿入時に該板状記憶媒体の保持溝に係合される第２の保持爪とされたことを特徴とする板状記憶媒体用ホルダ。
【請求項５】
請求項４に記載の板状記憶媒体用ホルダにおいて、
前記可動係合部が、
前記保持溝に係合するために端部に設けられた保持爪と、前記抜脱操作部に連動して係合するための係合機構と、前記保持爪を前記保持面に抜脱する方向に回転させる回転軸とを有する回転アーム部材と、
該回転アーム部材の前記回転軸を前記板状記憶媒体の挿脱方向の側部に対して接離する方向に移動可能とする軸案内機構と、
前記回転軸が前記板状記憶媒体の前記側部に近づく方向に向けて、前記回転アーム部材に弾性力を付勢する付勢手段とを備えたことを特徴とする板状記憶媒体用ホルダ。
【請求項６】
請求項１〜５のいずれか１項に記載の板状記憶媒体用ホルダにおいて、
挿入された前記板状記憶媒体と、それぞれ電気的に接続されたコネクタを備え、該コネクタと接続可能な相手コネクタを有する装置に対して、それらコネクタを介して着脱自在とされたことを特徴とする板状記憶媒体用ホルダ。
【発明の詳細な説明】
【０００１】
【発明の属する技術分野】
本発明は、板状記憶媒体用ホルダに関するものである。
【０００２】
【従来の技術】
近年、デジタルカメラや、携帯電話などの各種端末機器として、メモリカードなどの板状記憶媒体を筐体に差し込み、データの読み取りおよび／または書き込みを行うものが急速に普及してきている。板状記憶媒体には、例えば、いわゆるメモリースティック、ＳＤカード、メモリースティックデュオなどが知られている。そして、使用する機器の多様化とメモリ容量の増大などにより、次々に新しい接続仕様や形状を有する板状記憶媒体が市場に投入されている。
一方、このような板状記憶媒体に記憶されたデータは、適宜のデータ読み込み手段により、コンピュータに取り込まれることが多い。例えばＰＣＭＣＩＡ規格準拠のＰＣカードスロットを利用する場合がある。すなわち、ＰＣカードの外形やコネクタなどと互換性を有するＰＣカードアダプタ内に、板状記憶媒体を接続するスロットを設け、板状記憶媒体が接続されたＰＣカードアダプタをパソコンのＰＣカードスロットに差し込み、所定のＰＣカードインタフェースに準拠してデータ交換を行えるようにしている。
従来、このようなＰＣカードアダプタは、板状記憶媒体の形状に応じて種々の機械的インタファースで製作されている。例えば、特許文献１には、いわゆるＳＩＭカードを進退自在に保持するイジェクタを手動で進退させることが可能なＰＣカードアダプタとして用いることができるＰＣカードが記載されている。
【０００３】
【特許文献１】
特開２００２−２９８０９２号公報（第３−５頁、図１−３）
【０００４】
【発明が解決しようとする課題】
しかしながら、上記のような従来の板状記憶媒体用ホルダは、形状の異なる板状記憶媒体を共通の媒体挿入口から挿入することはできなかった。
例えば、従来用いられてきた形状の異なる板状記憶媒体として、図２５、図２６にそれぞれ示したような形状を有する板状記憶媒体４０、５０がある。その形状の特徴について簡単に説明する。
図２５（ａ）、（ｂ）、（ｃ）は、それぞれ、板状記憶媒体４０の形状を説明するための裏面図、左側面図、平面図である。図２６（ａ）、（ｂ）、（ｃ）は、それぞれ、板状記憶媒体５０の形状を説明するための平面図、右側面図、裏面図である。
【０００５】
図２５に示す板状記憶媒体４０は、長さ×幅×厚さが、Ｌ１×Ｗ１×Ｈ１であるやや細長いほぼ直方体状の外形を有し、その内部に、不揮発メモリなどの記憶素子を含む回路基板からなる記憶媒体本体（いずれも不図示）を収めているものである。
そして、記憶媒体本体に導通する接続端子４０ａ…が、裏面４０ｅ（基準面）の先端面４０ｃ側に刻設された凹溝内に設けられ、端末機器などへ先端面４０ｃ側から挿入して接続する構成がとられている。板状記憶媒体４０の先端角部の一方には、平面方向に曲線部４０ｂが形成され、その厚さ方向の裏面４０ｅ側に逃げ溝４０ｇが設けられている。その逃げ溝４０ｇと隣接して後端側に、側部４０ｆ側から平面視Ｕ字状の係止凹部４０ｄが設けられている。この係止凹部４０ｄは、板状記憶媒体４０を係合するため媒体側方側から突出される突起物を係合する溝である。
曲線部４０ｂと反対側の側部４０ｆには、裏面４０ｅ側の長手方向の中間部に、側部４０ｆ側から平面視コ字状の係止凹部４０ｉが設けられている。係止凹部４０ｉは、側部４０ｆ側から見て幅寸法がＵ１、その奥行き寸法がＤ１とされている。
表面４０ｈは、裏面４０ｅにほぼ平行な平坦面をなしている。なお、板状記憶媒体４０の外周は、接続端子４０ａを除いて、絶縁体、もしくは接続端子４０ａおよび記憶媒体本体とは電気的に絶縁されている導電体から構成されている。
【０００６】
図２６に示す板状記憶媒体５０は、長さ×幅×厚さが、Ｌ２×Ｗ２×Ｈ２であるほぼ直方体状の外形を有し、その内部に、不揮発メモリなどの記憶素子を含む回路基板からなる記憶媒体本体（いずれも不図示）を収めているものである。
そして、記憶媒体本体に導通する接続端子５０ａ…が、裏面５０ｅ（基準面）の先端面５０ｃ側に刻設された凹溝内部に設けられ、端末機器などへ先端側から挿入して接続する構成がとられている。板状記憶媒体５０の先端角部の一方には、平面方向に面取り部５０ｂが形成され、その厚さ方向の裏面５０ｅ側に係止溝５０ｇが設けられている。係止溝５０ｇの側部５０ｆ側には、先端に平坦な係止面５０ｉが形成されている。また係止溝５０ｇと隣接して後端側に、側部５０ｆ側から平面視Ｕ字状の係止凹部５０ｄが設けられている。係止凹部５０ｄは、板状記憶媒体５０を係合するため側部５０ｆ側から突出される突起物を係合する溝である。
面取り部５０ｂと反対側の側部５０ｆには、長手方向の先端面５０ｃ側、係止凹部５０ｄよりやや先端側の位置に、裏面５０ｅ側からみてコ字状の係止凹部５０ｊが設けられている。係止凹部５０ｊは、側部５０ｆ側から見て幅寸法がＵ２、その奥行き寸法がＤ２とされている。
表面５０ｈは、裏面５０ｅにほぼ平行な平坦面をなしている。なお、板状記憶媒体５０の外周は、接続端子５０ａを除いて、絶縁体、もしくは接続端子４０ａおよび記憶媒体本体とは電気的に絶縁されている導電体から構成されている。
【０００７】
板状記憶媒体４０、５０は、いずれも裏面４０ｅ、５０ｅの側に、それぞれ接続端子４０ａ…、５０ａ…を備え、曲線部４０ｂおよび係止凹部４０ｄと、面取り部５０ｂおよび係止凹部５０ｄとは、挿入方向に対して左右の同方向に位置している。
また、それぞれの外形寸法は、Ｌ１＞Ｌ２、Ｗ１＞Ｗ２、Ｈ１＞Ｈ２の関係にあり、板状記憶媒体５０は、板状記憶媒体４０の占める体積の中に含まれる大きさとなっている。ただし本例では、Ｗ２はＷ１に対して数ミリ程度のわずかな差しか有していない。
さらに、接続端子４０ａ…と接続端子５０ａ…とでは、端子間の配設ピッチや信号の割り当てが異なっており、機械的・電気的な互換性を有していない。
【０００８】
そのため、例えば、板状記憶媒体４０、５０のいずれをも利用することができる端末機器を製作しようとすれば、それぞれに応じて複数の板状記憶媒体用ホルダを設けなければならず、端末機器を小型化することができないという問題があった。
例えばそのような板状記憶媒体用ホルダをＰＣカードアダプタとして設ける場合、ＰＣカードを複数枚差し込む必要があり、パソコンなどの貴重なＰＣカードスロットが占有されてしまうという問題があった。
それぞれの板状記憶媒体用ホルダを厚さ方向に重ねて設けることで設置面積を低減することも考えられるが、厚さ方向にスペースを取られるという問題があった。特にＰＣカードアダプタ内に設ける場合は、外形規格が決まっているために、例えば厚さ５ｍｍのＰＣカードＴｙｐｅＩＩに実装することが困難で、厚さ１０．５ｍｍのＰＣカードＴｙｐｅＩＩＩにしなければならないといったことが起こり、貴重なＰＣカードスロットが占有されてしまうという問題があった。
さらに、所望の大きさで複数種類の板状記憶媒体を配置できたとしても、例えば、挿脱の利便性を考慮してイジェクタ機構を用いる場合など、外形寸法が異なるために、単一のイジェクタ機構を利用することが難しく、複雑なイジェクト機構をそれぞれに応じて複数設けなければならず、製作費が高価になるという問題があった。
また、特許文献１に記載の技術では、複数種類の板状記憶媒体を共通の挿脱口から挿脱するための技術が記載されていないので、以上に述べたのと同様の問題がある。
【０００９】
本発明は、このような問題に鑑みてなされたものであって、薄型で有りながら異なる形状を有する板状記憶媒体を共通の開口部から挿脱することができ、かつ寸法の異なる記憶媒体の誤挿入を防止して確実な挿脱が可能な板状記憶媒体用ホルダを提供することを目的とする。
【００１０】
【課題を解決するための手段】
上記課題を解決するために本発明は、以下の構成を採用した。
本発明の請求項１に記載の発明は、外形がそれぞれ異なる複数種類の板状記憶媒体を挿脱可能に収納する板状記憶媒体用ホルダであって、媒体挿脱方向からみて相対的に大きな厚さを有する第１の板状記憶媒体と、相対的に小さな厚さを有する第２の板状記憶媒体を、共通の媒体挿入口から挿入して収納可能なケーシングを備え、前記ケーシングに、前記第１の板状記憶媒体を収納する第１収納領域と、前記第２の板状記憶媒体を収納する第２収納領域とが、それらの厚さ方向で一部重なるように形成された板状記憶媒体収納部が設けられ、該板状記憶媒体収納部の媒体挿脱方向側部に、前記板状記憶媒体収納部内へ進退可能であり、前記板状記憶媒体の未挿入時に進出位置に付勢される誤挿入防止部材が設けられており、前記誤挿入防止部材が、進出位置にて、前記第１収納領域内へ突出する制止部材と、該制止部材と一体的に設けられて前記第１収納領域と第２収納領域とが重なった領域を含む第２収納領域内へ突出する斜面部材とを備えてなり、前記斜面部材が、進出位置にて前記第２収納領域内へ前記板状記憶媒体収納部の側部から媒体挿入方向奥側へ延びる斜面部を突出させており、前記板状記憶媒体の挿入時に、前記斜面部にて該板状記憶媒体から押圧されて前記制止部材とともに前記板状記憶媒体収納部の外側へ退避されることを特徴とする。
この発明によれば、第１収納領域内へ進出して媒体の誤挿入を防止し、媒体の正規位置への挿入により外側へ退避可能とされた誤挿入防止部材を設けたので、板状記憶媒体の誤挿入を効果的に防止でき、使い勝手に優れる板状記憶媒体用ホルダとすることができる。また、第１の板状記憶媒体を収納する前記第１収納領域と、第２の板状記憶媒体を収納する第２収納領域とが厚さ方向で互いに重なり合うように形成されているので、厚さ方向のホルダ寸法を小さくすることができる。
【００１１】
次に、請求項２に記載の発明は、請求項１に記載の板状記憶媒体用ホルダにおいて、前記誤挿入防止部材と反対側の前記板状記憶媒体収納部の側部に、前記板状記憶媒体収納部内に進退可能に設けられた位置規制部材と、該位置規制部材を前記ケーシングとの間に挟持するカバー部材とを備え、前記位置規制部材が、進出時に前記第１収納領域内へ突出されるアーム部と、該アーム部の基端部に一体的に設けられた軸受部とを有しており、前記軸受部が前記ケーシングに立設された回転軸に回転支持され、回転方向に弾性力を付勢する第１の弾性部材により回転方向に弾性支持されるとともに、前記位置規制面側へ弾性力を付勢する第２の弾性部材により厚さ方向に弾性支持され、前記アーム部が、その前記第２収納領域側の面に、前記第２の板状記憶媒体を位置規制する位置規制面を有するとともに、その前記媒体挿入口側の面に、前記第２収納領域における媒体挿入方向奥側へ向かって傾斜した傾斜面を有しており、前記第１の板状記憶媒体の未挿入時は、前記弾性力により前記第１収納領域内へ突出して支持されるとともに、挿入時には、その挿入方向奥側に向けて回転して前記第１の収納領域から退避可能とされており、前記カバー部材のケーシング側面における前記位置規制部材の媒体挿入方向奥側に前記位置規制部材の回動を中途にて制止可能な回動制止部が形成され、該回動制止部が平面視において前記位置規制部材の回動領域内に配置されるとともに、前記厚さ方向において、前記第２の弾性部材による付勢位置における前記位置規制部材の回動領域の外側に配置されていることを特徴とする。
この発明によれば、媒体挿入口側に傾斜面を向けた状態で回転方向に弾性支持される位置規制部材を設けたことで、挿入された第２の板状記憶媒体の先端面を、前記傾斜面に沿って滑らせるように所定の挿入位置へ案内することができる。
さらに、前記位置規制部材の平面視における回動領域内に回動制止部を設けており、この回動制止部は前記傾斜面に板状記憶媒体が当接し、位置規制部材が押圧されて厚さ方向上側へ移動した場合に、位置規制部材の回転を制止するように作用するので、前記傾斜面上で板状記憶媒体が滑り易くなって板状記憶媒体を正規の挿入位置へ案内することができるようになっている。従って、この発明によれば、相対的に薄い板厚の第２の板状記憶媒体を挿入した際に、正確に挿入位置への案内が可能であり、もって円滑な媒体挿入操作を行うことが可能な板状記憶媒体用ホルダを提供することができる。
【００１２】
次に、請求項３に記載の発明は、請求項１又は２に記載の板状記憶媒体用ホルダにおいて、前記板状記憶媒体収納部の側部に、さらに前記第１収納領域内へ進退可能な１又は複数の位置規制部材が設けられており、前記位置規制部材が、進出時に前記第１収納領域内へ突出されるアーム部と、該アーム部の基端部に一体的に設けられた軸受部とを有しており、前記軸受部が前記ケーシングに立設された回転軸に回転支持され、回転方向に弾性力を付勢する第１の弾性部材により回転方向に弾性支持され、前記アーム部が、その前記第２収納領域側の面に、前記第２の板状記憶媒体を位置規制する位置規制面を有するとともに、その前記媒体挿入口側の面に、前記第２収納領域における媒体挿入方向奥側へ向かって傾斜した傾斜面を有しており、前記第１の板状記憶媒体の未挿入時は、前記弾性力により前記第１収納領域内へ突出して支持されるとともに、挿入時には、その挿入方向奥側に向けて回転して前記第１の収納領域から退避可能とされたことを特徴とする。
この発明において、さらに媒体挿入口の近傍に上記位置規制部材を増設するならば、第２の板状記憶媒体を所定の挿入位置へ案内する作用を、先の構成において誤挿入防止部材と反対側に設けられた位置規制部材と協働して効果的に奏する板状記憶媒体用ホルダとすることができる。また、媒体の挿入方向奥側に上記位置規制部材をさらに増設するならば、挿入方向奥側において板状記憶媒体が傾斜した場合にも、上記位置規制部材に設けられた傾斜面により所定の位置に板状記憶媒体を案内することができ、板状記憶媒体の挿入時の姿勢をさらに安定に保持できる板状記憶媒体用ホルダとすることができる。
【００１３】
次に、請求項４に記載の発明は、請求項１ないし３のいずれか１項に記載の板状記憶媒体用ホルダにおいて、前記板状媒体収納部が、挿脱方向に対する側部に挿脱方向の位置を所定範囲に保持するための保持溝を有し、外形がそれぞれ異なる複数種類の板状記憶媒体を収納可能とされ、前記板状記憶媒体収納部の側方から、前記第１収納領域、及び第２収納領域内に進退可能に設けられ、進出時にはそれぞれの前記板状記憶媒体を引抜き困難な状態で前記板状記憶媒体収納部に保持し、退避時には前記保持面に前記板状記憶媒体を抜脱する押圧力を付勢しつつ、前記保持溝外部に退避することが可能な可動係合部と、該可動係合部に押圧力を伝達して前記板状記憶媒体を抜脱する抜脱操作部とを備え、前記可動係合部が、その端部に側面視かぎ状の保持爪を有しており、該保持爪のかぎ状基端側が、前記第１収納領域内に配置されて前記第１の板状記憶媒体の挿入時に該板状記憶媒体の保持溝に係合される第１の保持爪とされ、かぎ状先端側が、前記第２収納領域内に配置されて前記第２の板状記憶媒体の挿入時に該板状記憶媒体の保持溝に係合される第２の保持爪とされたことを特徴とする。
この発明によれば、保持溝内に進退して板状記憶媒体を板状記憶媒体収納部に保持し、抜脱操作部から伝達される押圧力を付勢しつつ保持溝から退避して板状記憶媒体を抜脱する可動係合部を設け、かつ第１、第２の板状記憶媒体のそれぞれに対応する第１、第２の保持爪を一体に形成した保持爪を設けたので、板状記憶媒体が保持溝を有していれば、保持溝が挿脱方向に直交する方向に異なる深さを有していても、共通の保持爪を用いて、可動係合部を深さ方向に進出させることにより、確実に保持溝と係合でき、また抜脱時に逆方向に退避させることにより、円滑に保持溝との係合を解除しながら抜脱することができる。
【００１４】
次に、請求項５に記載の発明は、請求項４に記載の板状記憶媒体用ホルダにおいて、前記可動係合部が、前記保持溝に係合するために端部に設けられた保持爪と、前記抜脱操作部に連動して係合するための係合機構と、前記保持爪を前記保持面に抜脱する方向に回転させる回転軸とを有する回転アーム部材と、該回転アーム部材の前記回転軸を前記板状記憶媒体の挿脱方向の側部に対して接離する方向に移動可能とする軸案内機構と、前記回転軸が前記板状記憶媒体の前記側部に近づく方向に向けて、前記回転アーム部材に弾性力を付勢する付勢手段とを備えたことを特徴とする。
この発明によれば、回転アーム部材が軸案内機構により、板状記憶媒体の側部に接離する方向に移動可能とされ、付勢手段によりその回転軸が板状記憶媒体に近づく方向に弾性力が付勢されているので、回転アーム部材の端部に設けられた保持爪が、板状記憶媒体の種類により保持溝の深さが変化しても、その変化に応じて保持爪を進出させることができる。その結果、保持爪が保持溝に確実に係合されるとともに、抜脱時に確実な押圧力を付勢できる。また、抜脱時に係止爪を保持溝から退避させて係合を解除する際、回転アーム部材の回転による移動の他に、軸案内機構による側部から離れる方向の移動を加味することができる結果、一層円滑に係合を解除することができる。
【００１５】
次に、請求項６に記載の発明では、請求項１〜５のいずれか１項に記載の板状記憶媒体用ホルダにおいて、挿入された前記板状記憶媒体と、それぞれ電気的に接続されたコネクタを備え、該コネクタと接続可能な相手コネクタを有する装置に対して、それらコネクタを介して着脱自在とされたことを特徴とする。
この発明によれば、板状記憶媒体用ホルダが、他の装置に対して着脱自在とされることにより、複数種類の板状記憶媒体をコネクタと電気的に接続することができるので、機械的、電気的に異なる複数種類の板状記憶媒体であっても、接続互換性を有するようにすることができる。
【００１６】
【発明の実施の形態】
以下、本発明の実施の形態を図面を参照して説明するが、本発明は以下の実施の形態に限定されるものではない。
図１は、本発明の実施の形態に係る板状記憶媒体用ホルダ１の表面側から見た斜視構成図、図２は、同、裏面側から見た斜視構成図、図３は、同、主要部の斜視分解図、図４は、板状記憶媒体用ホルダ１の基体を成すケーシングの平面構成図、図５は、同、ケーシングの正面構成図である。
【００１７】
図１及び図２に示す板状記憶媒体用ホルダ１は、従来用いられているメモリカードなどの板状記憶媒体において形状の異なる複数種類を挿入可能として、板状記憶媒体本体と外部コネクタ７とを導通可能とし、外部コネクタ７を介して装置外部の適宜の電気回路基板と接続することにより、板状記憶媒体に対するデータの読み書きが可能となるものである。具体的には、例えばＰＣＭＣＩＡ規格準拠のＰＣカードスロットに挿脱可能なＰＣカードアダプタなどに好適に用いることができる。以下では、特に板状記憶媒体４０（第１の板状記憶媒体）、板状記憶媒体５０（第２の板状記憶媒体）のような形状を有する場合の例について説明する。
【００１８】
なお、説明の簡単のために、相対的な位置関係を参照する際、図１に示したように、板状記憶媒体用ホルダ１が厚さ方向を鉛直に向けて水平方向に配置され、板状記憶媒体４０、５０が、手前側の媒体挿入口１１から奥側に挿入されるものとし、そのような配置に基づき、誤解の恐れのない範囲で、上下方向、挿抜方向、挿入方向、抜脱方向、奥側、手前側などと称する場合がある。ただし、これは本発明の板状記憶媒体用ホルダの実使用における配置姿勢を何ら限定するものではない。
【００１９】
（全体構成）
本実施形態の板状記憶媒体用ホルダ１は、図１及び図２に示すように、ケーシング２とそれに取り付けられた各部材を主体としてなる。尚、図１では図示を省略しているが、実際にはケーシング２の表面側及び裏面側に、所定規格の外形状を満足する形状を備えたカバー部材が設けられる。
ケーシング２の挿脱方向手前側に、イジェクトボタン９（抜脱操作部）、媒体挿入口１１が設けられている。ケーシング２の内部側に、イジェクタ部３（可動係合部）、板状記憶媒体収納部５、電子回路部６および外部コネクタ７が設けられている。イジェクトボタン９とイジェクタ部３とは板状記憶媒体４０、５０を着脱する着脱機構となっている。また、ケーシング２の挿脱方向手前側のイジェクトボタン９と媒体挿入口１１との間に、図示略の発光素子と接続されたインジケータ１６が設けられている。
板状記憶媒体用ホルダ１の外形は大略矩形板状とされ、挿脱方向の長さＬ３×幅Ｗ３×厚さＨ３が、例えばＰＣＭＣＩＡ規格準拠のＰＣカードＴｙｐｅＩＩの外形寸法などを有する場合、Ｌ３＝８５．６ｍｍ、Ｗ３＝５４ｍｍ、Ｈ３＝５ｍｍである。
【００２０】
外部コネクタ７は、板状記憶媒体用ホルダ１の挿脱方向奥側に幅方向にわたって設けられ、板状記憶媒体用ホルダ１を適宜の端末機器やパソコンに挿着して電気的に接続可能とするものである。例えば、ＰＣカードスロットなどに挿着可能な雌型コネクタなどを用いることができる。
電子回路部６は、板状記憶媒体４０または５０が板状記憶媒体用ホルダ１に挿入されたとき、それらが記憶するデータを、板状記憶媒体用ホルダ１の外部から与えられる制御信号に応じて、適宜のタイミングで適宜の電気的インタフェースに基づくデータ信号として、コネクタ７に送出したり、逆に外部のからの制御信号に応じて、板状記憶媒体４０または５０に所定形式でデータを書き込んだりするためのデータ入出力制御回路を備えた電気回路基板からなる。そして、外部コネクタ７と後述する板状記憶媒体収納部５との間の平面視Ｌ字状をなす空間に配置され、外部コネクタ７と板状記憶媒体収納部５内の後述するコネクタブロック８とにそれぞれ電気的に接続されている。
【００２１】
媒体挿入口１１とイジェクトボタン９との間に設けられたインジケータ１６は、図３に示すように、板状記憶媒体用ホルダ１内部にてアクリル樹脂等の透光性材料からなるロッド状の導光体１６ａと光学的に接続されており、図示略の発光素子から導光体１６ａにより導かれた光を放射することで、明滅動作により複数の識別情報を表示する手段として機能するようになっている。
【００２２】
ケーシング２は、図４に示すように、平面視で概略矩形状をなし、その内部側に板状、梁状、軸状などの種々の構造を備える枠体からなる。その挿脱方向奥側には、外部コネクタ７を取り付けるためにコネクタ取付部２ｈが設けられ、その手前側には、電子回路部６を取り付けるための平面視略Ｌ字状に区切られた回路基板取付部２ｇが設けられている。媒体挿入口１１と回路基板取付部２ｇとの間には、板状記憶媒体収納部５を形成するため収納枠部２Ｘが設けられている。この収納枠部２Ｘの幅方向に隣接する領域には、イジェクタ部３を形成するためのイジェクタ取付部２Ｙが設けられている。
【００２３】
（板状記憶媒体収納部の構成）
次に、図１に示す板状記憶媒体収納部５について、図１ないし図５を参照して収納枠部２Ｘの詳細とともに説明する。板状記憶媒体収納部５には、図２に示すようにコネクタブロック８がケーシング２裏面側から取り付けられ、図３に示すように、回転ブロック（位置規制部材）１０Ａ、及び回転ブロック（位置規制部材）１０Ｂ〜１０Ｄと、ストッパーブロック（誤挿入防止部材）１５と、これらの部材を所定位置に固定するガイド板２０Ａ、２０Ｂとが、収納枠部２Ｘに取り付けられている。
【００２４】
収納枠部２Ｘには、図３及び図４に示すように、下側にコネクタブロック８を水平方向に配置するための基板受け部２ｄが設けられている。基板受け部２ｄには、平面視において後述する端子８ａ…、端子８ｂ…を避けてこれらの端子８ａ…、８ｂ…を板状記憶媒体収納部５内へ露出させる開口部２ｐが設けられている。
上記開口部２ｐの幅方向両側に位置する基板受け部２ｄ内側面は、板状記憶媒体４０が挿入される範囲で板状記憶媒体４０の側部４０ｆを幅方向で位置規制する右外側規制面２Ｄ、左外側規制面２Ｅとなっている。これらの幅方向の面間距離は、板状記憶媒体４０の幅Ｗ１よりわずかに大きい幅ｗ１とされて、板状記憶媒体４０を位置規制しつつ挿脱を円滑に行えるようになっている。
【００２５】
前記開口部２ｐの手前側には、平坦面状に形成された媒体支持部２ｒが設けられており、この媒体支持部２ｒは、図１に示すようにコネクタブロック８とともに、板状記憶媒体収納部５の底面を成し、図３に示す回転ブロック１０Ａ〜１０Ｄとの間に板状記憶媒体５０を挟持して係る板状記憶媒体５０の上下方向の位置規制手段として機能する。前記媒体支持部２ｒの幅方向両側に位置する側面は、前記開口部２ｐ両側の右外側規制面２Ｄ、左外側規制面２Ｅから連続する右外側規制面２Ｆ、左外側規制面２Ｇとされ、これら右外側規制面２Ｆ、左外側規制面２Ｇと媒体支持部２ｒとの交差部に、挿脱方向に延在する内側レール部２Ｈ，２Ｊがそれぞれ設けられている。前記右外側規制面２Ｆ、左外側規制面２Ｇは、それらと連続して延びる右外側規制面２Ｄ、左外側規制面２Ｅとともに板状記憶媒体４０の幅方向における位置規制手段として機能し、前記内側レール部２Ｈ，２Ｊは、両者の内側面にて板状記憶媒体５０の幅方向における位置規制手段として機能するとともに、両者の上面にて板状記憶媒体４０の厚さ方向の位置規制手段として機能する。内側レール部２Ｈ、２Ｊの内側面間の距離は、板状記憶媒体５０の幅Ｗ２よりわずかに大きい幅ｗ２とされて前記板状記憶媒体５０を位置規制しつつ円滑に挿脱できるようになっている。
【００２６】
ガイド板２０Ａ、２０Ｂは、図１及び図３に示したように、ケーシング２の上面側に設けられた平面視略矩形状の板状部材であり、回転ブロック１０Ａ〜１０Ｄ、及びストッパーブロック１５をケーシング２との間に挟んで固定するとともに、幅方向内側の挿脱方向に延びる辺端部２０ａ、２０ｂの下面側にて、板状記憶媒体４０の表面４０ｈを厚さ方向で位置規制するようになっている。
【００２７】
上記基板受け部２ｄ、及びガイド板２０Ａ、２０Ｂに囲まれた空間からなる板状記憶媒体収納部５は、図５に示す媒体挿入口１１側からみた正面構成図において、内側レール部２Ｊ、２Ｈにより形成された段差部を有する略矩形状の領域とされており、この板状記憶媒体収納部５の天井面（図示上面）と、右外側規制面２Ｆ，２Ｄと、内側レール部２Ｊ、２Ｈの上面とに概ね囲まれる正面視略矩形状の空間が、板状記憶媒体４０を収納するための第１収納領域４１とされ、板状記憶媒体収納部５の底面（図示下面）と、内側レール２Ｈ、２Ｊの内側面とに概ね囲まれる正面視略矩形状の空間が、板状記憶媒体５０を収納するための第２収納領域５１とされている。そして、第１収納領域４１と、第２収納領域５１とは、それらの厚さ方向において互いに重なる重複領域４５を有して形成され、媒体挿入口１１の開口高さ（板状記憶媒体収納部５の厚さ方向の長さ）が、板状記憶媒体４０、５０の厚さの合計よりも狭くなっている。
上記第１収納領域４１の高さは、第１の板状記憶媒体４０の厚さＨ１よりもわずかに大きい高さｈ１とされ、第２収納領域５１の高さは、第２の板状記憶媒体５０の厚さＨ２よりもわずかに大きい高さｈ２とされている。
【００２８】
また、図３及び図４に示すように、右外側規制面２Ｆ、左外側規制面２Ｇの幅方向外側、及び右外側規制面２Ｄ、左外側規制面２Ｅの幅方向外側には、後述する回転ブロック１０Ａ〜１０Ｄをそれぞれ収容するために、所定位置で幅方向内側に開口する平面視略コ字状の回転ブロック収納穴２ｅ１〜２ｅ４が設けられている。それぞれの回転ブロック収納穴２ｅ１〜２ｅ４内には、収容された回転ブロック１０Ａ〜１０Ｄを回転支持するために、各回転ブロック収納穴２ｅ１〜２ｅ４の底面から上方へ延びる回転軸２１…が設けられている。
【００２９】
また、左外側規制面２Ｇの上記回転ブロック収納穴２ｅ２、２ｅ４間に、ストッパーブロック１５を配設するためのストッパーブロック嵌合部２Ｌと、このストッパーブロック嵌合部２Ｌの手前側に設けられ、平面視コ字状を成して幅方向内側に開口するストッパーブロック収容穴２Ｍとが設けられている。ストッパーブロック収容穴２Ｍは、手前側に隣接する回転ブロック収容穴２ｅ２に収納された回転ブロック１０Ｂが回動して板状媒体収納部５の外側へ退避したとき、回転ブロック１０Ｂの一部を収納する穴としても機能する。
【００３０】
回転ブロック１０Ａ〜１０Ｄは、各々回転軸２１に対して水平方向に回転可能に嵌合されることにより、収納枠部２Ｘとともに、板状記憶媒体４０、５０の挿入位置を規制するためのブロック部材である。図６（ａ）は、本発明に係る位置規制部材を成す回転ブロック１０Ａの形状を説明するための平面図、図６（ｂ）は、同、正面図である。図６には、回転ブロック１０Ａのみを図示しているが、他の回転ブロック１０Ｃは、回転ブロック１０Ａと概ね同様の形状であり、回転ブロック１０Ｂ、１０Ｄは、回転ブロック１０Ａと図３挿脱方向で左右対称である以外は概ね同様の形状であるため、以下では回転ブロック１０Ａを挙げて説明する。
【００３１】
図６に示すように、回転ブロック１０Ａは、平面視及び正面視で大略矩形状とされたブロック部材を主体として構成され、収納枠部２Ｘに取り付けた状態で水平方向に延ばされるアーム部１０Ｘと、このアーム部１０Ｘの基端部に一体に設けられた平面視略円筒状の軸受部１０Ｙとからなり、アーム部１０Ｘの図示下面に、板状記憶媒体５０の表面５０ｈ側を位置規制する下側規制面（位置規制面）１０ａが形成され、図５（ａ）下側、図５（ｂ）手前側に板状記憶媒体５０の先端面５０ｃを案内する面取り状の傾斜面１０ｂが形成されている。軸受部１０Ｙの略中央部に、下側規制面１０ａと垂直に貫設された円孔からなる軸受１０ｅが形成されている。
【００３２】
また、軸受部１０Ｙには、上面側から軸受１０ｅと同軸にばね収容部１０ｃが刻設され、同、下面側からばね収容部１０ｄが軸受部１０ｄと同軸に刻設されている。ばね収納部１０ｄは収容枠部２Ｘに回転ブロック１０Ａを取り付けた状態で、図３に示すねじりコイルばね１８を収納し、ばね収容部１０ｃは、図３に示すようにガイド板２０Ａと回転ブロック１０Ａとの間に、コイルばね１９を収納するようになっている。上記ばね収容部１０ｄに収納されたねじりコイルばね１８の弾性力により、回転ブロック１０Ａ〜１０Ｄは、図４に示したように板状記憶媒体収納部５内へ幅方向に延びる位置に付勢されるようになっており、ばね収容部１０ｃに収容されたコイルばね１９の弾性力によって回転ブロック１０Ａがガイド板２０Ａから下方向へ付勢されるようになっている。
尚、回転ブロック１０Ｂ〜１０Ｄでは、図３に示すようにガイド板２０Ａ、２０Ｂとの間にコイルばねを設けない構成とすることができ、その場合には、図５に示すばね収容部１０ｃが形成されていない形状とすることができる。
【００３３】
ストッパーブロック（誤挿入防止部材）１５は、図３及び図４に示すように、ストッパーブロック嵌合部２Ｌに幅方向で移動自在に嵌合される平面視Ｌ字状の制止部材１５ａと、この制止部材１５ａの挿脱方向に延びる部分の内側面下端部から延びてストッパーブロック収容穴２Ｍ内に収納可能に設けられた平面視略三角形状の斜面部材１５ｂとからなる。制止部材１５ａの幅方向に延びる部分が、板状記憶媒体５０を誤挿入した際にストッパーとして機能し、前記斜面部材１５ｂは、媒体挿入口１１側に向いて挿脱方向奥側に延びる斜面部にて板状記憶媒体４０、５０から押圧された場合に、ストッパーブロック１５を板状記憶媒体収納部５の幅方向外側へ退避させるために設けられている。
【００３４】
ストッパーブロック１５は、ストッパーブロック嵌合部２Ｌに板状記憶媒体収納部５内へ進退自在に嵌合されるとともに、その背面側（幅方向外側）に設けられたばねの弾性力により進出位置に付勢されている。係る進出位置にて、平面視Ｌ字状の制止部材１５ａは、その幅方向に延びる部分のみが、板状記憶媒体収納部５の第１収納領域４１（図５参照）内へ突出されるようになっており、上記斜面部材１５ｂは、進出位置にて前記斜面部１５ｃを前記第２収納領域５１（図５参照）内へ突出させるようになっている。
【００３５】
また、前記斜面部材１５ｂの上面の厚さ方向の位置は、回転ブロック１０Ｂを収納する回転ブロック収納穴２ｅ２の上面とほぼ同一又はそれより低い高さとされており、これにより回転ブロック１０Ｂが回動されて板状記憶媒体収納部５の外側へ退避された際に、ストッパーブロック収容穴２Ｍにて斜面部材１５ｂと回転ブロック１０Ｂのアーム部１０Ｘとが平面視にて重なる位置に収納されるようになっている。
【００３６】
次に、図７は、図１及び図２に示す電子回路部６、外部コネクタ７、及びコネクタブロック８の分解斜視図である。電子回路部６は平面視略Ｌ字状を成すプリント回路基板を主体としてなり、挿脱方向奥側の幅方向に延びる辺端部６ｂにて外部コネクタ７と電気的に接続されるとともに、前記辺端部６ｂと反対側の辺端部６ｃにてコネクタブロック８と電気的に接続されている。
【００３７】
コネクタブロック８は、図１及び図３に示す基板受け部２ｄに装着した状態で板状記憶媒体収納部５の挿脱方向奥側に配置されるばね状の端子８ａ…を備えた第１端子部８１と、基板受け部２ｄに装着した状態で板状記憶媒体収納部５の挿脱方向手前側に配置されるばね状の端子８ｂ…を備えた第２端子部８２とを備えて構成されており、第２端子部８２の奥側、幅方向両端部に設けられた嵌合孔８２ａ、８２ａに、第１端子部８１の幅方向両端部下面に設けられた嵌合凸部８１ａ、８１ａを嵌合することで、コネクタブロック８を組み立てるようになっている。
【００３８】
第１端子部８１は、ブロック状の本体部８１ｂと、本体部８１ｂを挿脱方向に貫通し、幅方向に列設された複数（図７では１０本）の端子８ａ…とを主体としてなり、端子８ａは、第１の板状記憶媒体４０の端子４０ａ…と電気的導通を取るために側面かぎ状に折り曲げられた部分をその先端部に有している。また、端子８ａ…の本体部８１ｂを貫通して反対側は、電気回路部６と電気的導通を取るための端子８ｄ…とされている。
一方、第２端子部８２は、略平板状の本体部８２ｂと、この本体部８２ｂを挿脱方向に貫通し、幅方向に列設された複数（図７では１０本）の端子８ｂ…とを主体としてなり、端子８ｂ…の挿脱方向手前側の先端部は、側面視かぎ状に折り曲げられて、第２の板状記憶媒体５０の端子５０ａ…と電気的導通を取るようになっている。また、本体部８２の反対側で露出された端子８ｂ…の他端側は、図７上方に折り曲げられた端子８ｃ…とされている。この端子８ｃ…は、第１端子部８１と第２端子部８２とが組み合わされた状態にて、第１端子部８１の図示下面側で露出された端子８ａ…と、それぞれ当接して電気的導通を取るようになっており、従って、端子８ｂ…は、端子８ｃ…、端子８ｄ…を介して電気回路部６と電気的に接続されるようになっている。
【００３９】
そして、本体部８２の挿脱方向奥側、両端部に凸設された部分の上面部に設けられた嵌合凸部８２ｃ、８２ｃを、電気回路部６の辺端部６ｃ両端部に設けられた透孔６ａ、６ａに嵌合することで、電気回路部６に対して固定されるようになっており、このように組み立てられた状態で、本体部８２ｂの挿脱方向手前側、幅方向両端部に貫設された嵌合孔８２ｆ、８２ｆを用いて、基板受け部２ｄの底面側に装着されるようになっている。
第２端子部８２の図示上面８２Ａは、コネクタブロック８を基板受け部２ｄに装着した状態で、板状記憶媒体収納部５の底面の一部を成しており、より詳細には前記上面８２Ａは、図５に示す第１収納領域４１の底面を成し、本体部８２ｂの手前側で一段下がった位置に形成された上面８２Ｂは、図５に示した第２収納領域５１の底面の一部を成すものとされている。
【００４０】
また、前記上面８２Ａの挿脱方向奥側、平面視で端子８ａ…の幅方向左側に、突起部８２ｅが設けられており、この突起部８２ｅは正規の方向で第１の板状記憶媒体４０が挿入された際に、逃げ溝４０ｇと係合され、表裏を誤って挿入された際には、先端面４０ｃを制止して誤挿入を防止するように機能する。また、前記上面８２Ｂにも、端子８ｂ…と幅方向左側に隣接する位置に突起部８２ｄが設けられており、第２の板状記憶媒体５０が正規の方向で挿入された際に係止溝５０ｇと係合され、表裏を誤って挿入された際には、先端面５０ｃを制止して誤挿入を防止するように機能する。
【００４１】
尚、本実施形態では、コネクタブロック８が第１端子部８１と第２端子部８２とからなる場合について説明したが、第１端子部８１の本体部８１ｂと、第２端子部８２の本体部８２ｂとが一体に成形されたものに、端子８ａ…、及び端子８ｂ…とを配設した構成とすることもできる。また、コネクタブロック８、電気回路部６及び外部コネクタ７のいずれか又は複数は、本発明に係る板状記憶媒体用ホルダに必須のものではなく、係る板状記憶媒体用ホルダが装着されるコンピュータ等の電子機器に設けられていてもよいものであるが、このように板状記憶媒体用ホルダの内部に複数の板状記憶媒体に対する配線構造を設けるとともに、外部装置との電気的接続を行うための外部コネクタ７を備えた構成とすることで、機械的・電気的に異なる複数の板状記憶媒体を接続互換性を外部装置に対して提供できる板状記憶媒体用ホルダとすることができる。
【００４２】
（イジェクタ部の構成）
次に、イジェクタ部３について、イジェクタ取付部２Ｙの詳細とともに説明する。図８は、本発明の実施形態に係るイジェクタ部３を説明するための斜視分解説明図であり、板状記憶媒体用ホルダ１の裏面側からみた図である。
イジェクタ部３は、イジェクトボタン９、コイルばね１４（付勢手段）、回転レバー１３（回転アーム部材）、支持板１２が、イジェクタ取付部２Ｙに取り付けられてなる。
【００４３】
イジェクタ取付部２Ｙは、イジェクタ支持板部２ｉ上に、イジェクトボタン９を挿脱方向に案内するための突条からなるスライドガイド２ｎと、回転レバー１３の下端を幅方向に移動可能に回転軸支持するための、例えば長穴などからなるスライド軸穴２ｊ（軸案内機構）と、コイルばね１４の一端を係止するためのばね係止ピン２ｋを設けたものである。
イジェクトボタン９は、媒体挿入口１１の幅方向に隣接して、挿脱方向に移動可能に支持されるとともに、挿脱方向に延びるロッド状の部材であり、挿脱方向の手前側にボタン部９ａを備え、挿脱方向奥側にロッド部９ｂが延ばされ、その奥側端部に鉛直上方に延ばされた係合ピン９ｃ（係合機構）が設けられている。ロッド部９ｂの裏面側には、スライドガイド２ｎと摺動自在に係合するためのスライド溝９ｄが設けられている。ボタン部９ａは、組立状態では、挿脱方向に嵌合可能なガイド孔２ｍ（図４参照）に挿脱方向に移動自在に係合されている。
【００４４】
回転レバー１３は、鉛直方向に回転軸１３ａを備え、イジェクタ支持板部２ｉと支持板１２とに挟持されて水平面内で回転可能に支持されたレバー部材であり、一端部に係合ピン９ｃと回転の周方向に係合可能で回転の径方向にスライド移動可能な平面視Ｕ字状のスライド溝１３ｃ（係合機構）を備える。また、反対側の端部には、板状記憶媒体５０、４０の係止凹部５０ｊ、４０ｉ（保持溝）に水平方向に係合可能な係止爪１３ｂ（保持爪）を備える。
【００４５】
係止爪１３ｂは、その基端部側（図示下側）に、係止凹部４０ｉに係合するために挿脱方向に幅ｕ１（ｕ１＜Ｕ１）を有する第１の保持爪１３ｆを備え、その先端側（図示上側）に、係止凹部５０ｊに係合するために挿脱方向に幅ｕ２（ｕ２＜Ｕ２）を有する第２の保持爪１３ｇを備える側面視かぎ状の形状を有している。ただし、挿脱方向手前側の側面である押圧面１３Ｃは、上下の保持爪１３ｆ、１３ｇで揃えられている。本実施形態では、第２の保持爪１３ｇは、第１の保持爪１３ｆに対して回転径方向に幅ｄだけ突出されている。
回転レバー１３の周方向の挿脱方向手前側には、回転レバー１３の回転を規制するための突起部１３ｄが、回転径方向に突設されている。突起部１３ｄは、周方向に非対称な形状を有しており、周方向の係止爪１３ｂ側は緩やかな傾斜とされ、周方向のスライド溝１３ｃ側は、急峻な傾斜を有するか、もしくは突起と緩やかに係合する形状を有している。また、同じく周方向の挿脱方向奥側には、鉛直下方に延ばされて、コイルばね１４の他端を係止するためのばね係止ピン（不図示）が設けられている。
【００４６】
コイルばね１４は、係止爪１３ｂが挿脱方向手前側かつ幅方向の収納枠部２Ｘ側に向けられるように、回転レバー１３に対して弾性引張力を付勢するためのものである。
支持板１２は、イジェクトボタン９、回転レバー１３およびコイルばね１４をイジェクタ取付部２Ｙとの間に挟んで、特にボタン部９ａ、回転レバー１３を位置規制するためのものである。そのために、挿脱方向手前側にボタンガイド部１２ｄを備え、中央部のスライド軸穴２ｊ上に回転軸１３ａの上部を幅方向に移動可能に回転支持するための、例えば長穴などからなるスライド軸穴１２ａ（軸案内機構）を備えている。
スライド軸穴１２ａとボタンガイド部１２ｄとの間には、幅方向に延ばされた水平面内で可撓性を有し、その中央に挿脱方向奥側に突出する突起部１２ｂが形成された弾性梁１２ｃが設けられている。
突起部１２ｂは、回転レバー１３の突起部１３ｄを係止する位置に設けられており、所定荷重以上の回転力が回転レバー１３に加わると、弾性梁１２ｃが撓んで、係止が解除されるようになっている。
【００４７】
（ストッパーブロックの動作）
次に、本実施形態の板状記憶媒体用ホルダ１の動作について説明する。
図９〜図１２は、板状記憶媒体用ホルダ１に板状記憶媒体５０を挿入する際のストッパーブロック１５の動作を説明するための部分平面図（各（ａ）図）、及び部分正面図（各（ｂ）図）であり、図９ないし図１１は、板状記憶媒体５０を正しく挿入した場合の動作を説明する図であり、図１２は、厚さ方向で誤った位置にて板状記憶媒体５０を挿入した場合の動作を説明する図である。
【００４８】
まず、板状記憶媒体５０は、その表面５０ｈを上側に向けて、媒体挿入口１１に先端面５０ｃ側から挿入する。このとき図９（ｂ）に示したように、媒体挿入口１１の下側に設けられた第２収納領域５１（図５参照）に対して挿入される。また内側レール部２Ｈ、２Ｊの内側面にて幅方向に位置規制されることにより所定の位置精度で挿入することができる。同時に、詳細は後述するが、高さ方向には回転ブロック１０Ａ、１０Ｂにより位置規制されるようになっている。また、ストッパーブロック１５は、ばね１５ｅによって図示の進出位置に付勢され、図９（ｂ）に示すように、斜面部材１５ｂの斜面部１５が、第２収納領域５１内へ突出され、制止部材１５ａが第１収納領域４１内へ突出されている。
【００４９】
図９（ａ）に示したように挿入を進めると、面取り部５０ｂがストッパーブロック１５の斜面部１５ｃと当接する。次いで、板状記憶媒体５０の挿入をさらに進めると、図１０（ａ）に示すように、面取り部５０ｂが斜面部１５ｃ上を摺動しながら挿脱方向奥側へ進み、斜面部１５ｃを介してストッパーブロック１５を押圧し、幅方向外側へ押し出していく。
さらに挿入を進めると、図１１（ａ）に示すように、ストッパーブロック１５は第２収納領域５１の外側へ退避され、斜面部材１５ｂの幅方向の先端部にて板状記憶媒体５０の側部５０ｆと当接した状態となる。この状態となって以降、板状記憶媒体５０は、斜面部材１５ｂの上記先端部を介してばね１５ｅによる幅方向の押圧力を付勢され、幅方向において内側レール部２Ｈの内側面との間で位置規制された状態で挿脱方向奥側へ挿入され、所定位置にて挿入状態が保持される。
【００５０】
次に、図１２を参照してストッパーブロック１５の動作を説明する。図１２は、板状記憶媒体５０が正規の位置（第２収納領域５１）に挿入されずに、厚さ方向上側にずれて第１収納領域４１内へ挿入された場合の説明図である。
図１２に示すように、第２の板状記憶媒体５０が、第１の板状記憶媒体４０を収納するための第１収納領域４１内へ挿入されると、板状記憶媒体５０は、第２収納領域５１内へ突出している斜面部材１５ｂの斜面部１５ｃと接触することなく、斜面部材１５ｂ上側の空間を挿入方向奥側へ移動する。つまり、斜面部材１５ｂに板状記憶媒体５０が接触しないため、ストッパーブロック１５は幅方向外側へ押し出されず、制止部材１５ａが第１収納領域４１内へ突出した状態を保持される。そして、先端面５０ｃがストッパーブロック１５の制止部材１５ａの媒体挿入口側の側面１５Ａにより干渉されてそれ以上奥側へ挿入されなくなる。このように、本実施形態の板状記憶媒体用ホルダ１は、ストッパーブロック１５によって、相対的に薄い板厚の板状記憶媒体５０が厚さ方向でずれて誤挿入されるのを防止するようになっている。
【００５１】
尚、本実施形態の板状記憶媒体用ホルダ１では、実際には図４に示すように、ストッパーブロック１５の挿入方向手前側に回転ブロック１０Ａ、１０Ｂが設けられるとともに、それらのアーム部１０Ｘ、１０Ｘが第１収納領域４１内へ突出されている。そして、板状記憶媒体５０が厚さ方向にずれて挿入された場合に板状記憶媒体５０と干渉するとともに先端面５０ｃを正規の位置へ案内するようになっているが、回転ブロック１０Ａ、１０Ｂは挿入方向奥側へ回転して板状記憶媒体収納部５から退避可能に設けられているため、板状記憶媒体５０を強引に挿入すると、挿入の方向、角度によっては、これらの回転ブロック１０Ａ、１０Ｂが奥側へ回動して板状記憶媒体５０が誤った位置に挿入されることも考えられる。そのような場合にも、上記ストッパーブロック１５の制止部材１５ａにより板状記憶媒体５０の挿入を中途で停止させることができる。
また本発明に係る板状記憶媒体用ホルダでは、回転ブロック１０Ａ〜１０Ｄを設けない構成とすることもでき、係る構成において板状記憶媒体５０の誤挿入が生じた場合には、図１２に示すように、ストッパーブロック１５により板状記憶媒体５０の誤挿入を防止することになる。
【００５２】
次に、図１３〜図１５を参照して板状記憶媒体４０の挿入に際してのストッパーブロック１５の動作を説明する。図１３〜図１５は、同動作を説明するための部分平面図（各（ａ）図）、及び部分正面図（各（ｂ）図）である。
板状記憶媒体４０を媒体挿入口１１から挿入する場合、板状記憶媒体収納部５内に設けられている内側レール部２Ｈ、２Ｊが、媒体挿入口１１まで延在されているため、板状記憶媒体４０は、図１３（ｂ）に示すように、第１収納領域４１にのみ挿入することが可能になっている。より詳細には、高さ（厚さ）方向には、表面４０ｈがガイド板２０Ａ、２０Ｂの裏面側で位置規制されるとともに、裏面４０ｅが内側レール部２Ｈ、２Ｊの上面にて位置規制され、また幅方向では右外側規制面２Ｆ、左外側規制面２Ｇに位置規制されることにより、板状記憶媒体収納部５のうち、第１収納領域４１へ所定の位置精度で挿入することができる。
【００５３】
図１３（ａ）に示したように挿入を進めると、先端面４０ｃの逃げ溝４０ｇ側の角部が、ストッパーブロック１５の斜面部材１５ｂに備えられた斜面部１５ｃに当接し、それを押圧してストッパーブロック１５を幅方向外側へ押し出しながら側脱方向奥側へ板状記憶媒体４０が挿入されていく。
さらに挿入が進むと、図１４（ａ）に示したように、板状記憶媒体４０の逃げ溝４０の側部４０ｆ側の角部が、ストッパーブロック１５の斜面部１５ｃと当接してそれを押圧するようになり、ストッパーブロック１５をさらに幅方向外側へ押し出しながら挿脱方向奥側へ板状記憶媒体４０が挿入されていく。
そして、さらに挿入が進むと、図１５（ａ）、（ｂ）に示したように、ストッパーブロック１５は第１収納領域４１の外側へ退避され、斜面部材１５ｂの幅方向先端部にて板状記憶媒体４０の側部４０ｆを押圧した状態となる。板状記憶媒体４０は、その一方の側部４０ｆを上記先端部に摺動しながらさらに挿入方向奥側へ挿入され、所定位置にて右外側規制面２Ｄ、２Ｆ、左外側規制面２Ｅ、２Ｇ、及びストッパーブロック１５により位置規制されて挿入状態が保持される。
このように、ストッパーブロック１５は、板状記憶媒体４０の挿入に際しては、その挿入方向への進行とともに第１収納領域４１の外側へ押し出され、板状記憶媒体４０と干渉して進行を妨げない構造となっている。
【００５４】
（回転ブロックの動作）
次に、板状記憶媒体５０を挿入する場合の、図４に示した回転ブロック１０Ａの動作について、図１６から図１８を参照して説明する。図１６は、回転ブロック１０Ａの動作を説明するための板状記憶媒体用ホルダ１の部分平面構成図、図１７は、同、板状記憶媒体収納部５側から見た部分断面構成図、図１８は、板状記憶媒体５０を厚さ方向でずれた位置に挿入した場合の回転ブロック１０Ａの動作を説明するための、板状記憶媒体収納部５側から見た部分断面構成図である。
【００５５】
図１６及び図１７に示すように、回転ブロック１０Ａは、媒体未挿入時には、回転ブロック収納穴２ｅ１との間に設けられたねじりコイルばね１８の弾性力によりアーム部１０Ｘが幅方向に延びる位置で付勢されている。
この状態の板状記憶媒体用ホルダ１に、媒体挿入口１１から板状記憶媒体５０を正規の収納位置（第２収納領域５１）に対して挿入した場合、板状記憶媒体５０は、内側レール部２Ｈ、２Ｊにより幅方向で位置規制されるとともに、媒体支持部２ｒと回転ブロック１０Ａの下側規制面１０ａとにより厚さ方向で位置規制され、所定の位置精度で円滑に挿入することができる。
【００５６】
次に、図１８（ａ）に示したように、板状記憶媒体５０が厚さ方向で上側へずれた位置に挿入された場合、板状記憶媒体５０の先端面５０ｃはアーム部１０Ｘの傾斜面１０ｂと当接して、この傾斜面１０ｂを押圧する。ここで、この傾斜面１０ｂはガイド板２０Ａ側のアーム部１０Ｘ角部から挿入方向奥側へ向かって延びる面取り状の傾斜面とされているので、板状記憶媒体５０から傾斜面１０ｂに対して作用する押圧力は、傾斜面１０ｂに沿って下側へ向く分力Ｆ１、傾斜面１０ｂの法線方向上側へ向く分力Ｆ２として作用し、その結果、板状記憶媒体５０の先端面５０ｃは、傾斜面１０ｂに沿って厚さ方向下側へ案内され、回転ブロック１０Ａは水平方向に回転しながら厚さ方向上側へ移動する。
【００５７】
ここで、本実施形態に係るガイド板２０Ａ内面側の、回転ブロック１０Ａより挿入方向奥側の位置に、厚さ方向下側に向かって突出する段差部（回動制止部）２０ｃが設けられている。この段差部２０ｃは、平面視において回転ブロック１０Ａの回転領域内に設けられているが、回転ブロック１０Ａがコイルばね１９により付勢された下側の位置で水平回転する場合には、回転ブロック１０Ａの回転動作に干渉しないような突出高さに形成されている。従って、図１８（ｂ）に示したように、板状記憶媒体５０からの押圧力により回転ブロック１０Ａが厚さ方向上側へ移動され、その位置で回転した場合には、回転ブロック１０Ａ上面の挿入方向奥側の角部と干渉し、回転ブロック１０Ａの回転を制止するようになっている。このようにして、回転ブロック１０Ａの回転が制止されると、板状記憶媒体５０の先端面５０ｃは、傾斜面１０ｂの下側へ案内されるほかなく、その結果、板状記憶媒体５０は、回転ブロック１０Ａと基板支持部２ｒとの間の空間（すなわち板状記憶媒体５０が挿入されるべき第２収納領域５１）へ案内され、正規の位置へ挿入される。そして、板状記憶媒体５０が、回転ブロック１０Ａの下側へ潜り込んだ後には、回転ブロック１０Ａに対する押圧力は取り除かれるので、ねじりコイルばね１８、及びコイルばね１９から付勢される弾性力により、回転ブロック１０Ａは、図１６に示した付勢位置に復帰し、アーム部１０Ｘの下側規制面１０ａにより板状記憶媒体５０の表面５０ｈを厚さ方向で位置規制するべく作用する。
【００５８】
このように、本実施形態の板状記憶媒体用ホルダ１では、上記回転ブロック１０Ａが設けられていることで、板状記憶媒体５０が厚さ方向でずれた位置に挿入された場合に、回転ブロック１０Ａの傾斜面１０ｂにより板状記憶媒体５０の先端面５０ｃを正規の挿入位置へ案内することができ、さらにはガイド板２０Ａ内面に設けられた段差部２０ｃにより誤挿入時の回転ブロック１０Ａの回転を制止できるため、上記傾斜面１０ｂによる先端面５０ｃの案内作用をさらに効果的に奏することができるようになっている。
【００５９】
また仮に、上記段差部２０ｃによる回転ブロック１０Ａの回転制止がうまく働かず、板状記憶媒体５０からの押圧力で回転ブロック１０Ａが退避位置まで回転され、板状記憶媒体５０が厚さ方向でずれた位置に挿入されたとしても、本実施形態の板状記憶媒体用ホルダ１では、回転ブロック１０Ａと反対の側部であって挿脱方向の奥側に先のストッパーブロック１５が設けられているので、板状記憶媒体５０の誤挿入はこのストッパーブロック１５により制止されるようになっており、板状記憶媒体５０が誤った位置で奥まで挿入されることはない。
【００６０】
また、先のストッパーブロック１５は、板状記憶媒体５０の誤挿入を確実に制止できる機構は備えているものの、板状記憶媒体５０を厚さ方向で位置規制する手段を有していないため、仮に板状記憶媒体収納部５に回転ブロック１０Ａ〜１０Ｄが設けられていない構成とした場合を想定すると、媒体挿入口１１の高さに比して薄い板厚の板状記憶媒体５０を挿入する際に操作者が手間取ることもあり得る。そこで、本実施形態のように、ストッパーブロック１５に加え、回転ブロック１０Ａも設けた構成とすれば、この回転ブロック１０Ａが傾斜面１０ｂにより板状記憶媒体５０の先端面５０ｃを正規位置に案内し、かつ正規位置においてはアーム部１０Ｘの下側規制面１０ａにより板状記憶媒体５０を厚さ方向で位置規制するので、上述のように正規位置への挿入を操作者が手間取ることなく行うことができ、極めて使い勝手の良い板状記憶媒体用ホルダを提供することができる。
【００６１】
また、上記では回転ブロック１０Ａの動作についてのみ図面を参照して説明したが、回転ブロック１０Ａと対称に設けられた回転ブロック１０Ｂも、アーム部１０Ｘに設けられた面取り状の傾斜面１０ｂにより、上記回転ブロック１０Ａと同様の先端面５０ｃを案内する作用を奏する。そして、これらの回転ブロック１０Ａ及び回転ブロック１０Ｂが協働して先端面５０ｃを正規位置（第２収納領域５１）へ案内するようになっていることで、操作者はより円滑かつ正確に板状記憶媒体５０の挿入動作を行うことが可能になっている。
【００６２】
さらにまた、回転ブロック１０Ｃ、１０Ｄは、板状記憶媒体５０の挿入に際しては、挿入方向奥側における厚さ方向の位置規制手段として機能する。これらの回転ブロック１０Ｃ、１０Ｄも、回転ブロック１０Ａと同様の傾斜面１０ｂを有しているので、板状記憶媒体５０が挿入の途中で斜めに傾斜された場合にも、回転ブロック１０Ｃ、１０Ｄの傾斜面１０ｂ、１０ｂを滑らせることにより先端面５０ｃを所定位置に案内することができるようになっている。そして、正規の挿入位置にて回転ブロック１０Ｃ、１０Ｄの下側に挿入されれば、板状記憶媒体５０の表面５０ｈは、回転ブロック１０Ｃ、１０Ｄの下側規制面１０ａ、１０ａにより厚さ方向で位置規制される。
【００６３】
次に、図１９及び図２０を参照して、板状記憶媒体４０を媒体挿入口１１から挿入する場合の回転ブロック１０Ａの動作について説明する。尚、以下では回転ブロック１０Ａのみを図示して説明するが、回転ブロック１０Ａと対称位置に設けられた回転ブロック１０Ｂについても、以下の動作は同様である。
図１９は、回転ブロック１０Ａの動作を説明するための板状記憶媒体用ホルダ１の部分平面構成図、図２０（ａ）〜（ｃ）は、同、板状記憶媒体収納部５側から見た部分断面構成図であって、板状記憶媒体４０の挿入位置に応じた回転ブロック１０Ａの動作を説明する図である。
【００６４】
板状記憶媒体４０を媒体挿入口１１から挿入する場合、板状記憶媒体収納部５の挿脱方向奥側から媒体挿入口１１まで延在している内側レール部２Ｈ、２Ｊによって厚さ方向で位置規制され、かつ右外側規制面２Ｆ及び左外側規制面２Ｇにより幅方向で位置規制されるため、板状記憶媒体４０は所定位置にのみ挿入することが可能になっている。
そして、図１９に示すように、媒体挿入口１１から板状記憶媒体収納部５へ挿入すると、図２０（ａ）、図２０（ｂ）に示すように、板状記憶媒体４０の先端面４０ｃと、回転ブロック１０Ａ（及び反対側の側部に設けられた回転ブロック１０Ｂ）の媒体挿入口１１側の辺端部とが当接し、続いて先端面４０ｃにより前記辺端部が押圧されて回転ブロック１０Ａ（及び回転ブロック１０Ｂ）が、挿入方向奥側へ水平回転されていく。ガイド板２０Ａ内面には、図２０に示すように、段差部２０ｃが設けられているが、板状記憶媒体４０の挿入に際しては、先端面４０ｃは傾斜面１０ｂではなくアーム部１０Ｘの媒体挿入口１１側の辺端部と当接するので、回転ブロック１０Ａはコイルばね１９による付勢位置で水平に回転し、上記段差部２０ｃにより回転を制止されることはない。
さらに挿入を進めると、図１９及び図２０（ｃ）に示すように、回転ブロック１０Ａはケーシング２の回転ブロック収納穴２ｅ１内に収納され、板状記憶媒体収納部５の外側に退避される。
このように、板状記憶媒体４０の挿入に際して、回転ブロック１０Ａ及び回転ブロック１０Ｂは、板状記憶媒体４０の進行を妨げない構造となっており、所定位置に板状記憶媒体４０を円滑に挿入することができるようになっている。また、図示は省略したが、挿入方向奥側に設けられた回転ブロック１０Ｃ、１０Ｄについても、上記回転ブロック１０Ａ、１０Ｂと同様に動作し、板状記憶媒体４０の挿入を妨げないようになっている。
【００６５】
（板状記憶媒体の挿脱動作）
次に、板状記憶媒体の挿脱動作について、図２１ないし図２４を参照して説明する。図２１（ａ）、（ｂ）、図２２（ｃ）、（ｄ）は、それぞれ板状記憶媒体用ホルダ１に板状記憶媒体４０を挿脱する概略動作を順次説明するための平面視の部分説明図である。図２３（ａ）、（ｂ）、図２４（ｃ）、（ｄ）は、それぞれ板状記憶媒体用ホルダ１に板状記憶媒体５０を挿脱する概略動作を順次説明するための平面視の部分説明図である。
なお、回転ブロック１０Ｂ、１０Ｄは、板状記憶媒体４０、５０を正規位置に挿入する場合において、常に回転ブロック１０Ａ、１０Ｃと対称的な動作をするので、適宜図示を省略している。また、以下の挿脱操作においては、板状記憶媒体４０、５０は正規位置に挿入されているものとされ、従ってストッパーブロック１５は板状記憶媒体収納部５に対する進退動作を行うのみであるため、その図示及び説明は省略している。
【００６６】
まず、図２１、図２２を参照して、板状記憶媒体４０を挿脱する動作について説明する。
板状記憶媒体４０は、表面４０ｈを上側に向けて、媒体挿入口１１に挿入する。このとき、図３及び図５に示したように、高さ方向には、表面４０ｈ、裏面４０ｅが、ガイド板２０Ａ、２０Ｂの辺端部２０ａ、２０ｂ内面側（図３参照）、および媒体支持部２ｒにそれぞれ位置規制されることにより、また、幅方向が右外側規制面２Ｆ、左外側規制面２Ｇに位置規制されることにより、所定の位置精度で挿入することができる。
図２１（ａ）に示したように、挿入を進めると、先端面４０ｃ、曲線部４０ｂが、回転ブロック１０Ａ、１０Ｂと当接し、それらを押圧して、回転ブロック１０Ａ、１０Ｂをそれぞれ左右に回転させていく。回転ブロック１０Ａ、１０Ｂは、アーム部１０Ｘを板状記憶媒体４０の側部４０ｆ、４０ｆと略平行な位置まで退避し、左外側規制面２Ｇ、右外側規制面２Ｆとともに、側部４０ｆ、４０ｆを幅方向に位置規制する。
【００６７】
一方、板状記憶媒体４０の挿入経路には、回転レバー１３が突出されている。そこで、先端面４０ｃは、係止爪１３ｂの押圧面１３Ｃに当接し、係止爪１３ｂを図示左回りに回転させながら奥側に挿入される。
このとき、回転レバー１３はコイルばね１４により幅方向に引張弾性力を付勢されているから、スライド軸穴２ｊ（１２ａ）の幅方向の板状記憶媒体４０側（図示右側）に位置している。同時に、スライド溝１３ｃも左回りに回転しているので、係合ピン９ｃを介してイジェクトボタン９が挿脱方向手前側へ押出される。
【００６８】
さらに挿入が進むと、図２１（ｂ）に示したように、回転レバー１３がさらに回転し、押圧面１３Ｃが左外側規制面２Ｄの幅方向外側に退避して、先端面４０ｃの押圧を逃れ、その代わりに、第１の保持爪１３ｆの先端面が側部４０ｆに当接するようになる。コイルばね１４はさらに引き伸ばされ、ますます大きな引張弾性力が付勢され、回転軸１３ａは、スライド軸穴２ｊ（１２ａ）の板状記憶媒体４０側に強く押し付けられる。このとき、第１の保持爪１３ｆの先端面は、板状記憶媒体４０の図示上側に逃げている。
なお、図示では、回転軸１３ａがスライド軸穴２ｊ（１２ａ）の端面に当接しているように描かれているが、必ずしも当接していなくてもよい。その場合、第１の保持爪１３ｆを介して、コイルばね１４の幅方向分力が側部４０ｆに伝達される。
【００６９】
一方、この動作に伴い、イジェクトボタン９はさらに手前に押出される。また、突起部１３ｄが弾性梁１２ｃの突起部１２ｂに当接し、突起部１２ｂから回転の抵抗を受けるが、挿入力が上回るため、弾性梁１２ｃが撓んで、突起部１３ｄが突起部１２ｂを乗り越える。
【００７０】
さらに挿入を進めると、図２２（ｃ）に示したように、板状記憶媒体４０が、コネクタブロック８の端子８ａ…と隣接して設けられた突起部８２ｅと当接して、奥側の所定の挿入位置に到達し、板状記憶媒体４０の後端部が略媒体挿入口１１内に収まるように収納される。このとき、左右に逆差しされていれば、突起部８２ｂの作用により、奥側の所定位置まで挿入することができないので、操作者には誤挿入であったことが分かる。
このとき、第１の保持爪１３ｆの位置には、側部４０ｆの一部が幅方向に欠損する係止凹部４０ｉが位置するので、第１の保持爪１３ｆが図示右方向に回転して、係止凹部４０ｉ内に入り込む。そして、押圧面１３Ｃが係止凹部４０ｉの手前側の壁面に当接する。このとき、第１の保持爪１３ｆの先端面は、略挿脱方向と平行方向を向くように位置関係とされている。
従って、図示とは異なりスライド軸穴２ｊ（１２ａ）が幅方向右側に広い場合には、回転レバー１３はさらに図示右側に押し付けられ、第１の保持爪１３ｆの先端面と係止凹部４０ｉの幅方向の壁面が当接するような位置関係となって、さらに幅方向に深く係合することも可能である。
【００７１】
また、このとき、突起部１３ｄは、突起部１２ｂに図示右側から係止する位置関係にある。したがって、回転レバー１３は、係止凹部４０ｉおよび突起部１２ｂによって、回転を抑止される状態となっている。
このような状態で、板状記憶媒体４０を引っ張って抜脱しようとすると、第一に、板状記憶媒体４０の後端部がほぼ媒体挿入口１１内に挿入されているため、手で掴んで引抜くこと自体が困難である。第二に、なんらかの手段で後端部を掴んだとすれば係止凹部４０ｉの幅が許す範囲で引抜くことができるものの、それ以上は保持爪１３ｆ（係止爪１３ｂ）が閂状に係止凹部４０ｉに入り込んでいるため、回転レバー１３を回転させないと引抜くことができない。回転レバー１３は、突起部１２ｂと、急峻な傾斜を有するか、もしくは突起と緩やかに係合する形状を有する側で、係止されているので、比較的大きな力を加えない限り引抜くことができない。
このようにして、板状記憶媒体４０の挿入が完了し、挿入状態は保持される。
【００７２】
次に、板状記憶媒体４０は抜脱するには、図２２（ｄ）に示したように、ボタン部９ａを挿脱方向の奥側に押し込む。つまり、係合ピン９ｃが奥側に押し込んで、回転レバー１３を図示右回りに回転させる押圧力を作用させる。すると、弾性梁１２ｃが撓んで突起部１３ｄが突起部１２ｂを乗り越えて回転を始める。
それと平行して、押圧面１３Ｃが係止凹部４０ｉを挿脱方向の手前側に押圧し、板状記憶媒体４０を抜脱する押圧力を付勢する。その際、第１の保持爪１３ｆが係止凹部４０ｉの内部で回転しようとして、板状記憶媒体４０から離れる側の幅方向（図示左側）に押圧分力を発生させる。
【００７３】
このような場合、第１の保持爪１３ｆがある程度以上、係止凹部４０ｉの奥側に入り込んでいると、係止凹部４０ｉと第１の保持爪１３ｆの先端面とが干渉して離脱できなくなる。従来のように回転軸１３ａ軸の位置が固定された機構では、第１の保持爪１３ｆを係止凹部４０ｉに対して浅い位置に入り込ませなくてはならなかった。これに対して、本実施形態においては、このような押圧分力が作用すると、スライド軸穴２ｊ（１２ａ）により回転レバー１３自体が幅方向に移動できるので、第１の保持爪１３ｆは、挿脱方向手前側に回転しつつ幅方向に退避することができ、係止凹部４０ｉから円滑に離脱することができる。したがって、従来のように、係止凹部４０ｉとのかみ合いを少なくする必要がないから、押圧面１３Ｃの押圧力を確実に係止凹部４０ｉに伝達できるという利点がある。
なお、このとき、回転レバー１３が幅方向に移動しても、係合ピン９ｃはスライド溝１３ｃ内を移動できるので、係合ピン９ｃとの係合が回転レバー１３の回転および幅方向移動の妨げとならない。この点でも動作が円滑になっている。
【００７４】
こうして、第１の保持爪１３ｆが左外側規制面２Ｄの外側に退避するまで、板状記憶媒体４０は抜脱方向に押圧力を付勢される。この状態で、板状記憶媒体４０は端子８ａ…とも接触しない状態となっているので、媒体挿入口１１より外側に突出した部分を手に持って容易に挿抜することができる。
なお、板状記憶媒体４０が抜脱されると、回転ブロック１０Ａ、１０Ｂは、それぞれに備えられたねじりコイルばね１８、１８の作用により、挿入前のアーム部１０Ｘを板状記憶媒体４０の挿入経路に進出させる位置に推し戻されているものである。
このようにして、板状記憶媒体４０の抜脱が完了する。このように本実施形態では、ボタン部９ａを押し込むという容易な操作で確実に板状記憶媒体４０を抜脱することができる。
【００７５】
次に、図２３、２４を参照して、板状記憶媒体５０を挿脱する動作について説明する。ただし、板状記憶媒体４０の挿脱動作と略同様に行われるので、上記と異なる点について簡単に説明する。
板状記憶媒体５０は、表面５０ｈを上側に向けて媒体挿入口１１より挿入する。このとき、高さ方向には、表面５０ｈ、裏面５０ｅが、回転ブロック１０Ａ、１０Ｂの下側規制面１０ａ、１０ａおよび媒体支持部２ｒに位置規制されることにより、また、幅方向が内側レール部２Ｈ、２Ｊの内側面に位置規制されることにより、所定の位置精度で挿入することができる。
【００７６】
また、先の回転ブロックの動作において説明したように、板状記憶媒体５０を挿入する際には、回転ブロック１０Ａ、１０Ｂは回転しないか、回転したとしても挿入の早期に、アーム部１０Ｘを板状記憶媒体５０の挿入経路下方に進出させる状態に戻り、その後は挿脱の全過程においてその位置を保持するようになっている。そこで、図２３、図２４では、それらの図示を省略している。
なお、より円滑で確実な挿入を行うためには、板状記憶媒体４０の挿入を妨げない程度にねじりコイルばね１８…の弾性力を大きくするとともに、回転ブロック１０Ａ、１０Ｂの傾斜面１０ｂ、１０ｂの挿入方向奥側に向かって緩やかに増大する傾斜とし、角部５０ｍなどが当たっても滑って乗り越えやすい形状としておくことが好ましい。
【００７７】
図２３（ａ）に示したように、挿入を進めると、先端面５０ｃが係止爪１３ｂの上側の押圧面１３Ｃに当接し、係止爪１３ｂを図示左回りに回転させていく。また、それに伴いボタン部９ａが手前側に押し出される。
そして、挿入の進行とともに、図１０（ｂ）に示したように、回転レバー１３をさらに回転させ、板状記憶媒体５０が収納されるべき第２収納領域５１内へ突出されている第２の保持爪１３ｇが側部５０ｆ当接するようになる。さらに、図２４（ｃ）に示したように、コネクタブロック８に設けられた突起部８２ｄが係止溝５０ｇに入り込む所定の挿入位置に到達し、板状記憶媒体５０の後端部がほぼ媒体挿入口１１内に収まるように収納される。
このとき、係止凹部４０ｉ、５０ｊの挿脱方向手前側の壁面は、略同位置に揃えられているので、回転レバー１３が板状記憶媒体４０を挿入した位置と略同角度となったときに、第２の保持爪１３ｇが係止凹部５０ｊ内に入り込む。そして、押圧面１３Ｃが係止凹部５０ｊの手前側の壁面に当接する。そして、突起部１３ｄが突起部１２ｂに係止されて、回転レバー１３の回転が抑止される状態となる。
このようにして、板状記憶媒体５０の挿入が完了し、挿入状態が保持される。
【００７８】
次に、板状記憶媒体５０を抜脱するには、図２４（ｄ）に示したように、手前側に押し出されているボタン部９ａを挿脱方向の奥側に押し込むことによって、押圧面１３Ｃを、板状記憶媒体５０を抜脱する方向に回転させるとともに、第２の保持爪１３ｇが板状記憶媒体５０から幅方向に離れる方向に退避させる。
こうして、板状記憶媒体５０を抜脱することができる。
【００７９】
以上に説明したように、本発明の実施形態に係る板状記憶媒体用ホルダによれば、板状記憶媒体４０と、この板状記憶媒体４０と相対的に幅、厚さおよび奥行き寸法が異なり、その占有体積に含まれる形状を有する板状記憶媒体５０とを、共通の媒体挿入口から挿入して、挿入状態を引抜き困難に保持し、いずれの板状記憶媒体にも共通な機構を有するイジェクタ部３に連動するイジェクトボタン９を押し込むことにより、容易に抜脱することができる。
その際、板状媒体収納部５において、板状記憶媒体４０を収納する第１収納領域４１と板状記憶媒体５０を収納する第２収納領域５１とが、厚さ方向で互いに重なりあうように媒体挿入口を形成しているので、薄型化することができる板状記憶媒体用ホルダとすることができる。
さらに、イジェクタ部３において、回転レバー１３を幅方向に移動可能に回転支持することにより、係止爪１３ｂが係止凹部４０ｉ、５０ｊに比較的深く入り込んで係合することが可能となり、それにも係らず、そこから、円滑に離れることができ、挿入状態を安定して保持するとともに、抜脱の操作性を向上することができる。
【００８０】
なお、上記の説明では、係止凹部５０ｊ、４０ｉの位置が、挿脱方向の幅方向に略重なる位置にある例で説明したが、第１の保持爪１３ｆ、第２の保持爪１３ｇの挿脱方向における位置、並びに第２の保持爪１３ｇの突出長さを適宜変更すれば、係止凹部５０ｊ、４０ｉの挿脱方向幅方向の位置が異なっても、同様の動作を行うことができる。したがって、本発明は、板状記憶媒体の保持溝の形状や、幅方向の挿入位置などが異なる場合にも用いることができる。
【００８１】
【発明の効果】
以上に述べたように、請求項１に記載の発明では、誤挿入防止部材を板状媒体収納部の側部に設けたことで、相対的に薄い板厚の第２の板状記憶媒体の誤挿入を効果的に防止できる。さらに、異なる形状を有する板状記憶媒体、特に幅がわずかに異なるような形状であっても、上下方向に重ねてそれぞれの挿脱方向の断面が重なり合う位置関係で共通の媒体挿入口から挿脱することができるので、厚さ方向の寸法を小さくすることができるという効果を奏する。
【００８２】
請求項２に記載の発明では、媒体挿入口側に斜面部を有するとともに、その厚さ方向下面（第２収納領域側面）に位置規制面を有する位置規制部材を、板状記憶媒体収納部の側部から進退自在に設けたことで、相対的に薄い厚さを有する第２の板状記憶媒体を所定の挿入位置に正確に案内でき、さらには、強引な誤挿入に際しても、位置規制部材の奥側のカバー部材内面に設けられた回動制止部により位置規制部材の退避動作を制止することで、所定の挿入位置に板状記憶媒体を案内することができるという効果を奏する。
【００８３】
請求項３に記載の発明では、さらに他の位置規制部材を設けたことで、より正確かつ容易に板状記憶媒体の姿勢を安定に保持しながら挿入操作を行うことができるという効果を奏する。
【００８４】
請求項４に記載の発明では、板状記憶媒体の側部の保持溝に進退させる可動係合部を備えることにより、保持溝の深さや奥行き方向の位置が異なっても共通の着脱機構で、板状記憶媒体を確実かつ容易に保持、抜脱を行うことができるという効果を奏する。
【００８５】
請求項５に記載の発明では、回転アーム部材の端部に設けられた保持爪が、板状記憶媒体の種類により保持溝の深さが変化しても、その変化に応じて保持爪を進出させることができるので、板状記憶媒体に対して、抜脱時に確実な押圧力を付勢でき、回転アーム部材の回転による移動と軸案内機構により側部から離れる方向への移動が同時に行えるため、円滑に係合を解除することができ、これらの結果、挿脱操作が確実かつ円滑となり操作性が向上できるという効果を奏する。
【００８６】
請求項６に記載の発明では、コネクタを備えて、板状記憶媒体用ホルダが他の装置に対して着脱自在とされることにより、機械的・電気的に異なる複数種類の板状記憶媒体に対して、接続互換性を有する汎用性に富んだ接続アダプタとすることができるという効果を奏する。
【図面の簡単な説明】
【図１】図１は、本発明の実施の形態に係る板状記憶媒体用ホルダ１の表面側から見た斜視構成図。
【図２】図２は、同、裏面側から見た斜視構成図。
【図３】図３は、同、主要部の分解斜視図。
【図４】図４は、板状記憶媒体用ホルダの基体を成すケーシングの平面構成図。
【図５】図５は、同、ケーシングの正面構成図。
【図６】図６は、回転ブロックを説明するための図であって、図６（ａ）は、同、平面構成図、図６（ｂ）は、同、正面構成図。
【図７】図７は、電気回路部、外部コネクタ、コネクタブロックを説明するための斜視分解説明図。
【図８】図８は、本発明の実施形態に係るイジェクタ部３を説明するための斜視分解説明図
【図９】図９（ａ）は、ストッパーブロックの動作を説明するための部分平面構成図、図９（ｂ）は、同、部分断面構成図。
【図１０】図１０（ａ）は、ストッパーブロックの動作を説明するための部分平面構成図、図１０（ｂ）は、同、部分断面構成図。
【図１１】図１１（ａ）は、ストッパーブロックの動作を説明するための部分平面構成図、図１１（ｂ）は、同、部分断面構成図。
【図１２】図１２（ａ）は、ストッパーブロックの動作を説明するための部分平面構成図、図１２（ｂ）は、同、部分断面構成図。
【図１３】図１３（ａ）は、ストッパーブロックの動作を説明するための部分平面構成図、図１３（ｂ）は、同、部分断面構成図。
【図１４】図１４（ａ）は、ストッパーブロックの動作を説明するための部分平面構成図、図１４（ｂ）は、同、部分断面構成図。
【図１５】図１５（ａ）は、ストッパーブロックの動作を説明するための部分平面構成図、図１５（ｂ）は、同、部分断面構成図。
【図１６】図１６は、回転ブロックの動作を説明するための部分平面構成図。
【図１７】図１７は、同、部分断面構成図。
【図１８】図１８（ａ）、図１８（ｂ）は、板状記憶媒体の誤挿入時の回転ブロックの動作を説明するための部分断面構成図。
【図１９】図１９は、回転ブロックの動作を説明するための部分平面構成図。
【図２０】図２０（ａ）〜図２０（ｃ）は、同、部分断面構成図。
【図２１】図２１（ａ）、図２１（ｂ）は、第２の板状記憶媒体の挿脱操作を説明するための部分平面構成図。
【図２２】図２２（ｃ）、図２２（ｄ）は、第２の板状記憶媒体の挿脱操作を説明するための部分平面構成図。
【図２３】図２３（ａ）、図２３（ｂ）は、第１の板状記憶媒体の挿脱操作を説明するための部分平面構成図。
【図２４】図２４（ｃ）、図２４（ｄ）は、第１の板状記憶媒体の挿脱操作を説明するための部分平面構成図。
【図２５】図２５は、第１の板状記憶媒体の一例を説明するための（ａ）裏面図、（ｂ）左側面図、（ｃ）平面図である。
【図２６】図２６は、第２の板状記憶媒体の一例を説明するための（ａ）裏面図、（ｂ）左側面図、（ｃ）平面図である。
【符号の説明】
１…板状記憶媒体用ホルダ、２ｊ、１２ａ…スライド軸穴（軸案内機構）、３…イジェクタ部（可動係合部）、５…板状記憶媒体収納部、７…外部コネクタ、８…コネクタブロック、９…イジェクトボタン（抜脱操作部）、９ｃ…係合ピン（係合機構）、１１…媒体挿入口、１２ｂ…突起部、１３…回転レバー（回転アーム部材）、１３ａ…回転軸、１３ｂ…係止爪（保持爪）、１３ｃ…スライド溝（係合機構）、１３ｄ…突起部、１３ｆ…第１の保持爪、１３ｇ…第２の保持爪、１３Ｃ…押圧面、１４…コイルばね（付勢手段）、１８…ねじりコイルばね（第１の弾性部材）、１９…コイルばね（第２の弾性部材）、２０Ａ、２０Ｂ…ガイド板、２０ｃ…段差部（回動制止部）、４０…板状記憶媒体（第１の板状記憶媒体）、４０ｉ、５０ｊ  係止凹部、５０…板状記憶媒体（第２の板状記憶媒体）、４１…第１収納領域、５１…第２収納領域、４５…重複領域
【図１】
2004335938.tif 000003
【図２】
2004335938.tif 000004
【図３】
2004335938.tif 000005
【図４】
2004335938.tif 000006
【図５】
2004335938.tif 000007
【図６】
2004335938.tif 000008
【図７】
2004335938.tif 000009
【図８】
2004335938.tif 000010
【図９】
2004335938.tif 000011
【図１０】
2004335938.tif 000012
【図１１】
2004335938.tif 000013
【図１２】
2004335938.tif 000014
【図１３】
2004335938.tif 000015
【図１４】
2004335938.tif 000016
【図１５】
2004335938.tif 000017
【図１６】
2004335938.tif 000018
【図１７】
2004335938.tif 000019
【図１８】
2004335938.tif 000020
【図１９】
2004335938.tif 000021
【図２０】
2004335938.tif 000022
【図２１】
2004335938.tif 000023
【図２２】
2004335938.tif 000024
【図２３】
2004335938.tif 000025
【図２４】
2004335938.tif 000026
【図２５】
2004335938.tif 000027
【図２６】
2004335938.tif 000028